(57)【要約】【課題】  ユニットをメンテナンスする際の挿脱性を良好にできる無線基地局のユニットスライド構造を提供し、メンテナンス性を向上させる。【解決手段】  通信用回路基板を内蔵するとともに平行な両側板を近接させて略薄箱状に形成した複数のユニット３５と、側板が平行となるように複数のユニット３５を並べ側板と平行な方向に挿脱可能に収容するシェルフ３３と、このシェルフ３３を収容する枠状のラック３１とを具備し、ユニット３５を、水平面に対して所定角度傾斜した方向に挿脱可能とした。【選択図】図１
2006024761.tif 000002
【特許請求の範囲】
【請求項１】
通信用回路基板を内蔵するとともに平行な両側板を近接させて略薄箱状に形成した複数のユニットと、前記側板が平行となるように複数の該ユニットを並べ前記側板と平行な方向に挿脱可能に収容するシェルフと、該シェルフを収容する枠状のラックとを具備し、
前記ユニットが、水平面に対して所定角度傾斜した方向に挿脱可能であることを特徴とする無線基地局のユニットスライド構造。
【請求項２】
前記ユニットの引出し方向後側の上部または下部のいずれか一方に、切欠部が設けられたことを特徴とする請求項１記載の無線基地局のユニットスライド構造。
【請求項３】
前記シェルフから前記ユニットを所定寸法引出した位置で、該ユニットの引出しを規制するストッパが、前記ユニット及び前記シェルフの少なくとも一方に設けられたことを特徴とする請求項１または請求項２記載の無線基地局のユニットスライド構造。
【請求項４】
ユニットに取手部を備え、前記取手部を把持することによりユニットがシェルフの前面開口部より挿出入されることを特徴とする請求項１ないし４記載の無線基地局のユニットスライド構造。
【発明の詳細な説明】
【技術分野】
【０００１】
本発明は、ラック内に設けられたシェルフに対して、複数の薄箱状ユニットを挿脱可能に収容する無線基地局のユニットスライド構造に関する。
【背景技術】
【０００２】
携帯電話や情報携帯端末などに対して送受信を行う無線基地局としては、例えば下記特許文献１に開示されるものがある。この種の無線基地局は、図１３に示すように、送受信用の通信用回路基板（ＡＭＰ１など）を内蔵した複数のユニット３を、屋内設置したラック５内のシェルフ７に収容してなり、その形態によっては、ラック５内に複数のシェルフ７が多段状に設けられる場合もある。ユニット３は、図１４に示すように、平行な両側板３ａ、３ａを近接させて略薄箱状に形成され、側板３ａ、３ａが平行となるように並べられてシェルフ７内に収容される。従来、ユニット３は、メンテナンス上、シェルフ７に対して略水平方向（図１４の矢印ａ方向）でスライド可能（挿脱可能）に構成されるのが一般的であった。
【０００３】
このユニットスライド構造は、例えばシェルフ７の底板９や天板１１に、ユニット３の両側板３ａ、３ａをガイドする一対の平行なガイド片１３、１３を切り起こし等によって立設し、底板９、天板１１に設けられたこれらガイド片１３、１３の間に、ユニット３の上縁３ｂ及び下縁３ｃを挿入することで、円滑な挿脱を可能にしていた。
【０００４】
また、ラック５内のシェルフ７に収容されたユニット３には、アンテナ１５からのアンテナケーブル１７が接続される。アンテナケーブル１７は、アンテナ共用器１９を介してユニット３に接続される。従来、アンテナ共用器１９は、屋外に設けられ、アンテナ１５と比較的太径の屋外用ケーブル２１によって接続され、さらに、屋外ケーブル２１より細径の屋内ケーブル２２によってコネクタ２３を介してラック５内に収容されたユニット３へと接続されていた。なお、コネクタ２３とユニット３とは屋内ケーブル２２より細い内部ケーブル２５によって接続される。
【０００５】
【特許文献１】特開２００１−２４５６９号公報
【発明の開示】
【発明が解決しようとする課題】
【０００６】
しかしながら、上記した従来の無線基地局のユニットスライド構造は、水平方向にユニット３が挿脱されるため、図１５（ａ）に示すように、高所に設けられるユニット３を挿脱する場合や、図１５（ｂ）に示すように、低所に設けられるユニット３を挿脱する場合に、挿脱力がユニット３に加え難く（体重を挿脱力に作用させ難く）、作業性の悪い問題があった。その結果、特に多数のユニット３を挿脱する場合には、挿脱作業自体に手間が掛かり、ユニット３のメンテナンス性を低下させる要因の一つとなっていた。
本発明は上記状況に鑑みてなされたもので、ユニットをメンテナンスする際の挿脱性を良好にできる無線基地局のユニットスライド構造を提供し、もって、メンテナンス性の向上を図ることを目的とする。
【課題を解決するための手段】
【０００７】
上記目的を達成するための本発明に係る請求項１記載の無線基地局のユニットスライド構造は、通信用回路基板を内蔵するとともに平行な両側板を近接させて略薄箱状に形成した複数のユニットと、前記側板が平行となるように複数の該ユニットを並べ前記側板と平行な方向に挿脱可能に収容するシェルフと、該シェルフを収容する枠状のラックとを具備し、前記ユニットが、水平面に対して所定角度傾斜した方向に挿脱可能であることを特徴とする。
【０００８】
この無線基地局のユニットスライド構造では、例えば高所に設けられるユニットを挿脱する際には、ユニット挿脱方向が前上がり方向となる一方、低所に設けられるユニットを挿脱する際には、ユニット挿脱方向が前下がり方向となる。これにより、水平方向にユニットが挿脱される場合に比べ、ユニットに力が加え易くなり、挿脱作業が良好となる。
【０００９】
請求項２記載の無線基地局のユニットスライド構造は、前記ユニットの引出し方向後側の上部または下部のいずれか一方に、切欠部が設けられたことを特徴とする。
【００１０】
この無線基地局のユニットスライド構造では、ユニットの引出し方向後側の上部に切欠部が設けられていると、ユニットの前下がり方向の挿脱が可能となり、ユニットの引出し方向後側の下部に切欠部が設けられていると、ユニットの前上がり方向の挿脱が可能となる。つまり、高所のユニットの場合には、下部に切欠部が設けられて、前上がりの容易な挿脱が可能となり、低所のユニットの場合には、上部に切欠部が設けられて、前下がりの容易な挿脱が可能となる。
【００１１】
請求項３記載の無線基地局のユニットスライド構造は、前記シェルフから前記ユニットを所定寸法引出した位置で、該ユニットの引出しを規制するストッパが、前記ユニット及び前記シェルフの少なくとも一方に設けられたことを特徴とする。
【００１２】
この無線基地局のユニットスライド構造では、例えば高所のユニットに対し、容易な挿脱を可能にするため、ユニットの挿脱方向を前上がりとした場合には、ユニットの引出し時に、ユニットが手前下がりに引出されることになる。この場合、ユニットが所定寸法シェルフから引出されると、ユニットがストッパに当接してそれ以上の引出しが一旦規制され、ユニットの自重が作用してユニットが一度に引出されて落下するような事態が防止される。また、低所のユニットの場合には、手前上がりでユニットが引出されることとなるが、所定寸法引出した後、ストッパによってユニットがシェルフに支持されることで、ユニットが完全に抜脱される前での仮支持が可能となる。
【００１３】
請求項４記載の無線基地局のユニットスライド構造は、ユニットに取手部を備え、前記取手部を把持することによりユニットがシェルフの前面開口部より挿出入されることを特徴とする。
【発明の効果】
【００１４】
本発明に係る無線基地局のユニットスライド構造によれば、ユニットを、水平面に対して所定角度傾斜した方向に挿脱可能としたので、例えば高所に設けられるユニットを挿脱する際には、ユニット挿脱方向を前上がり方向とすることにより、また、低所に設けられるユニットを挿脱する際には、ユニット挿脱方向を前下がり方向とすることにより、水平方向にユニットが挿脱される場合に比べ、挿脱作業を良好にすることができる。この結果、ユニットをメンテナンスする際の挿脱性を良好にし、メンテナンス性を向上させることができる。
【発明を実施するための最良の形態】
【００１５】
以下、本発明に係る無線基地局のユニットスライド構造の好適な実施の形態を図面を参照して説明する。
図１は本発明に係るスライド構造を備えた無線基地局の正面図、図２は図１に示した無線基地局の構成を概略的に表した模式図、図３はラック、シェルフ及びユニットの収容関係を表した分解斜視図、図４は図３に示したユニットの側面図、図５は図４に示したユニットの正面図、図６は図４に示したユニットの平面図、図７は図４に示したユニットを下側から見た下面図、図８は図３に示したシェルフの拡大図、図９はシェルフに設けられる樹脂ガイド部の拡大図である。
【００１６】
無線基地局１００は、正面の開口した金属製のラック３１と、正面が開口し、このラック３１の正面から内部に収容される金属製のシェルフ３３と、このシェルフ３３の正面開口から内部に挿脱されるユニット３５とからなる。ユニット３５は、通信用回路基板を内蔵するとともに平行な両側板３５ａ、３５ａを近接させて略薄箱状に形成される。
【００１７】
本実施の形態によるユニット３５は、ＡＭＰ（アンプ）４１とＤＵＰ（アンテナ共用器）４３とからなる。すなわち、従来では図１３に示したように屋外に設けられていたＤＵＰが、本実施の形態では図２、図３に示すように、ＡＭＰ４１と共にシェルフ３３の内部に収容されている。このうち、アンテナケーブル３７は、ＤＵＰ４３のみに接続される。
【００１８】
ラック３１の天面及びシェルフ３３の天面には、アンテナケーブル３７を導入するための複数のケーブル引込開口３９がユニット３５に対応して形成されている。上部にシェルフ３３を収容したラック３１の下部には、複数のＭＤＥ４５が複数段に収容される。本実施の形態では、ラック３１の下部にＭＤＥ４５が設けられることで、シェルフ３３が高所に配置されている。なお、シェルフ３３は、後述するように、低所に配置されても勿論よい。
【００１９】
アンテナケーブル３７とＤＵＰ４３とは、コネクタにより接続される。すなわち、図３に示すように、アンテナケーブル３７の末端には一方のコネクタ４７が接続され、ユニット３５にはこの一方のコネクタ４７と結合する他方のコネクタ４９が設けられている。
【００２０】
図４に示すように、ユニット３５は、ユニット３５の引出し方向後側の上部または下部のいずれか一方に、シェルフ３３との干渉を回避するための切欠部５１が設けられている。本実施の形態では、ユニット３５の下部に切欠部５１が設けられている。ユニット３５の引出し方向後側の上面には、上記した他方のコネクタ４９が突出して一対設けられている。ユニット３５の正面にはユニット３５同士を接続する図５に示すバスケーブル用コネクタ５３や、ＭＤＥ４５との接続用コネクタ５５及びユニット引出用取っ手５７が設けられている。
【００２１】
ユニット３５の上面には、上記の他方のコネクタ４９の後方に、図６に示す上レール５９が設けられている。上レール５９は、シェルフ３３の奥側に、それぞれのユニット３５に応じて設けられた図示しないガイドピンを受け入れることで、装着直前のユニット３５を位置決めするように働く。
【００２２】
図７に示すように、ユニット３５の引出し方向後側の下面には、下レール６１が設けられ、下レール６１はそれぞれのユニット３５に対応してシェルフ３３に設けられた図８に示す傾斜レール６３によってガイドされる。傾斜レール６３は、シェルフ３３の奥行き方向の略中央部から上方向に登る傾斜面６３ａを有している。また、傾斜レール６３には、この傾斜面６３ａを両側から挟むガイド片６３ｂ、６３ｂが立設されている。すなわち、傾斜レール６３は、滑り台状に形成される。
【００２３】
シェルフ３３には、この傾斜レール６３の前方に、一対のガイド板６５ａ、６５ａを立設した底板ガイド６５が連続して設けられている。この底板ガイド６５の前方には、さらに先端ガイド６７が設けられてる。
【００２４】
図９に示すように、先端ガイド６７は、ユニット３５を挟んでガイドする一対のガイド片６７ａ、６７ａと、このガイド片６７ａ、６７ａに挟まれて位置する傾斜部６７ｂと、この傾斜部６７ｂに連続する上面部６７ｃと、上面部６７ｃの略中央部に凹設された角溝６７ｄとからなる。先端ガイド６７は、例えば合成樹脂材料によって一体成形される。
【００２５】
また、シェルフ３３の天面には、図８に示す側面視三角形状の一対の天面ガイド６９、６９が、それぞれのユニット３５に応じて垂設されている。この天面ガイド６９、６９は、ユニット３５の上縁を挟むようにして挿脱時におけるユニット３５の上縁をガイドする。
【００２６】
ユニット３５の切欠部５１の前側には、図４に示したストッパ７１が設けられている。このストッパ７１は、例えば側面視台形状のブロック体からなり、切欠部５１の前部で垂下して設けられている。また、このストッパ７１の先端側（図４の左端側）には緩衝材となるゴムや樹脂が設けられている。なお、ストッパ７１は、それ自体がゴムや樹脂材で成形されたものであってもよい。
【００２７】
このストッパ７１は、ユニット３５が所定寸法シェルフ３３から引出された際に、シェルフ３３の底板に設けられた先端ガイド６７の角溝６７ｄに没入する位置関係で配設されている。したがって、ユニット３５は、手前方向下り勾配で引出された場合であっても、このストッパ７１が角溝６７ｄに進入することで、それ以上の連続した引出しが規制される。つまり、引出しが一旦停止されるようになっている。
【００２８】
なお、ストッパ７１と先端ガイド６７とは、本実施の形態とは逆に、ユニット３５に先端ガイド６７、シェルフ３３にストッパ７１が設けられてもよい。また、ユニット３５の引出しが一旦規制できるのであれば、ストッパ７１のみをユニット３５またはシェルフ３３に設けてもよい。
【００２９】
したがって、ユニット３５は、切欠部５１、上レール５９、下レール６１、傾斜レール６３、底板ガイド６５、先端ガイド６７及び底板ガイド６５を主な部材として構成されるスライド構造によって挿脱が案内されるようになっている。
【００３０】
次に、上記のように構成された無線基地局のユニットスライド構造の作用を説明する。
図１０はユニットの挿入軌跡を表す動作説明図、図１１のユニットの引出し軌跡を表す動作説明図、図１２はユニットの引出しが樹脂ガイドに規制された状態の動作説明図である。
シェルフ３３に対しユニット３５を挿入する場合には、図１０に示すように、ユニット３５の取っ手５７が把持され、ユニット３５の後部がシェルフ３３の前面開口から挿入される。
【００３１】
挿入されたユニット３５は、図１０の矢印ｂに示すように、一旦水平方向で挿入された後、後部が傾斜レール６３の傾斜面６３ａに当接することで、水平方向から前上がり方向へ挿入され、後部が傾斜面６３ａを昇りきったところで、再び水平方向へ挿入される。つまり、ユニット３５は、水平面に対して所定角度傾斜した方向に挿入される。この際、ユニット３５は、上縁が天面ガイド６９、６９によって挟まれるとともに、下縁が先端ガイド６７、底板ガイド６５、傾斜レール６３に挟まれて、挿入方向が規制される。
【００３２】
ユニット３５は、シェルフ３３への装着完了直前に、シェルフ３３の後部に設けられた図示しないガイドピンに、上レール５９を介して位置決めされ、ユニット後端面のコネクタ６４が、図示しないシェルフ側のコネクタと結合される。
【００３３】
ここで、シェルフ３３の前面開口の高さは、ユニット３５の全高と略同一に形成されている。ユニット３５の上面には他方のコネクタ４９が突出されているが、上記のようにユニット３５の挿入時にはユニット３５が前上がりに傾斜して挿入されるため、ユニット３５の上面とシェルフ３３の上枠３３ａとの間には挿入開始段階で隙間が形成される。ユニット３５は、この隙間によって、上面から突出したコネクタ４９が上枠３３ａに干渉することなく挿入されるようになっている。すなわち、ユニット３５に切欠部５１を設け、前上がりの挿入方向を可能としたことにより、コネクタ４９のユニット上面での突出を実現させている。
【００３４】
このようにして、シェルフ３３内に収容されたユニット３５は、他方のコネクタ４９がシェルフ３３及びラック３１のケーブル引込開口３９、３８に配置され、このコネクタ４９に、上方から垂下するアンテナケーブル３７側のコネクタ４７が略鉛直方向から接続されることとなる。
【００３５】
一方、シェルフ３３からユニット３５を引出すには、先ず、他方のコネクタ４９と一方のコネクタ４７との結合を解除する。次いで、取っ手５７が把持され、ユニット３５が手前側へ引出される。この際、図１１に示すように、ユニット３５は、斜め下方向への引出しが可能となる。
【００３６】
ユニット３５が所定寸法引出されると、図１２に示すように、切欠部５１の先端側に設けられたストッパ７１が、シェルフ３３の先端ガイド６７の角溝６７ｄに進入し、シェルフ３３の引出しが一旦規制されることとなる。これにより、斜め下方向に引出されるユニット３５が自重により加速され、一度に引出される落下による危険性が回避される。
【００３７】
そして、取っ手５７が持ち上げられ、ユニット３５を若干上昇させることで、ストッパ７１と角溝６７ｄとの係合が解除され、ユニット３５のシェルフ３３からの脱着が完了することになる。
【００３８】
上記の無線基地局のユニットスライド構造では、切欠部５１がユニット３５の下部または上部に設けられることで、例えば高所に設けられるユニット３５を挿脱する際には、ユニット挿脱方向が前上がり方向となる一方、低所に設けられるユニット３５を挿脱する際には、ユニット挿脱方向が前下がり方向となる。これにより、水平方向にユニット３５が挿脱される場合に比べ、ユニット３５に力が加え易くなり、挿脱作業が良好となる。
【００３９】
そして、ユニット３５の引出し方向後側の上部に切欠部５１が設けられていると、ユニット３５の前下がり方向の挿脱が可能となり、ユニット３５の引出し方向後側の下部に切欠部５１が設けられていると、ユニット３５の前上がり方向の挿脱が可能となる。つまり、高所のユニット３５の場合には、下部に切欠部５１が設けられて、前上がりの容易な挿脱が可能となり、低所のユニット３５の場合には、上部に切欠部５１が設けられて、前下がりの容易な挿脱が可能となる。
【００４０】
また、高所のユニット３５に対し、容易な挿脱を可能にするため、ユニット３５の挿脱方向を前上がりとした場合、ユニット３５の引出し時に、ユニット３５が手前下がりに引出されることになる。この場合、ユニット３５が所定寸法シェルフ３３から引出されると、ストッパ７１に当接してそれ以上の引出しが規制され、ユニット３５の自重が作用してユニット３５が一度に引出されて落下するような事態が防止される。これに対し、図示は省略するが、低所のユニット３５の場合には、手前上がりでユニット３５が引出されることとなるが、所定寸法引出した後、ストッパ７１によってユニット３５がシェルフ３３に支持されることで、ユニット３５が完全に抜脱される前での仮支持が可能となる。
【００４１】
したがって、この無線基地局のユニットスライド構造によれば、ユニット３５を、水平面に対して所定角度傾斜した方向に挿脱可能としたので、例えば高所に設けられるユニット３５を挿脱する際には、ユニット挿脱方向を前上がり方向とすることにより、また、低所に設けられるユニット３５を挿脱する際には、ユニット挿脱方向を前下がり方向とすることにより、水平方向にユニット３５が挿脱される場合に比べ、挿脱作業を良好にすることができる。この結果、ユニット３５をメンテナンスする際の挿脱性を良好にし、メンテナンス性を向上させることができる。
【００４２】
なお、本実施の形態では、ユニット３５を装着するシェルフ３３が高所に配置される場合を例に説明したが、ユニット３５は、低所に配置されるものであってもよい。この場合、ユニット３５は、上記の構成とは逆に上部に切欠部５１が形成される。これにより、前下がりの挿脱が可能となり、低所で水平方向で行われる挿脱に比べ、挿脱力が加えやすくなり、挿脱の作業性を良好にすることができる。
【図面の簡単な説明】
【００４３】
【図１】本発明に係るスライド構造を備えた無線基地局の正面図である。
【図２】図１に示した無線基地局の構成を概略的に表した模式図である。
【図３】ラック、シェルフ及びユニットの収容関係を表した分解斜視図である。
【図４】図３に示したユニットの側面図である。
【図５】図４に示したユニットの正面図である。
【図６】図４に示したユニットの平面図である。
【図７】図４に示したユニットを下側から見た下面図である。
【図８】図３に示したシェルフの拡大図である。
【図９】シェルフに設けられる樹脂ガイド部の拡大図である。
【図１０】ユニットの挿入軌跡を表す動作説明図である。
【図１１】ユニットの引出し軌跡を表す動作説明図である。
【図１２】ユニットの引出しが樹脂ガイドに規制された状態の動作説明図である。
【図１３】従来の無線基地局の構成を概略的に表した模式図である。
【図１４】従来のユニット挿脱方向を表すシェルフの斜視図である。
【図１５】ユニットが高所・低所に配置された場合の挿脱状況を（ａ）（ｂ）に表した動作説明図である。
【符号の説明】
【００４４】
３１  ラック
３３  シェルフ
３５  ユニット
３５ａ、３５ａ  側板
５１  切欠部
７１  ストッパ
【図１】
2006024761.tif 000003
【図２】
2006024761.tif 000004
【図３】
2006024761.tif 000005
【図４】
2006024761.tif 000006
【図５】
2006024761.tif 000007
【図６】
2006024761.tif 000008
【図７】
2006024761.tif 000009
【図８】
2006024761.tif 000010
【図９】
2006024761.tif 000011
【図１０】
2006024761.tif 000012
【図１１】
2006024761.tif 000013
【図１２】
2006024761.tif 000014
【図１３】
2006024761.tif 000015
【図１４】
2006024761.tif 000016
【図１５】
2006024761.tif 000017